(57)【要約】【課題】従来の画像形成装置は、定着器を交換してもエラーが再発して定着器が破損することや故障の定着器を他の画像形成装置に実装して画像形成装置本体を破損することがあった。【解決手段】画像形成装置１は、定着器に関連する第１のエラー情報４６ａと、第１のエラー情報を含む第２のエラー情報６６ａを検出するエラー検出手段６１と、エラー情報（４６ａ，６６ａ）を記憶する第１及び第２の記憶部（４６，６６）と、エラー情報の検出時に、記憶部にエラー情報（４６ａ，６６ａ）を書き込み、起動時に、記憶部からエラー情報（４６ａ，６６ａ）を読み出し、読み出されたエラー情報（４６ａ，６６ａ）に応じた制御モードにより定着器４０を制御するようにしている。これにより、不良の定着器４０を正常な画像形成装置１に装着した場合や、故障の画像形成装置１に正常な定着器４０を装着した場合にも、画像形成装置１及び定着器４０の破損を有効に防止できる。【選択図】図１
2014006375.tif 000002
【特許請求の範囲】
【請求項１】
記録媒体上に現像剤像を転写して、前記記録媒体上に画像を形成する画像形成手段と、
前記画像が形成された前記記録媒体を加熱して定着する定着器と、
前記定着器に関連する第１のエラー情報及び前記第１のエラー情報を含む第２のエラー情報を検出するエラー検出手段と、
前記第１のエラー情報を記憶する第１の記憶部と、
前記第２のエラー情報を記憶する第２の記憶部と、
前記エラー検出手段による前記第１及び第２のエラー情報の検出時に、前記第１のエラー情報を前記第１の記憶部へ書き込むと共に前記第２のエラー情報を前記第２の記憶部へ書き込み、起動時に、前記第１の記憶部から前記第１のエラー情報を読み出すと共に前記第２の記憶部から前記第２のエラー情報を読み出すメモリ制御部と、
読み出された前記第１及び第２のエラー情報に応じて制御モードを決定する制御モード決定部と、
決定された前記制御モードにより前記定着器の動作及び前記内部温度を制御する定着制御手段と、
を備えたことを特徴とする画像形成装置。
【請求項２】
前記画像形成手段は、
静電潜像を担持する像担持体と、
前記像担持体の表面の電荷を露光して静電潜像を形成する露光手段と、
前記像担持体の表面に形成された前記静電潜像に現像剤を付着させて現像剤像を形成する現像手段と、
前記現像剤像を記録媒体に転写して前記記録媒体上に画像を形成する転写手段と、
を有することを特徴とする請求項１記載の画像形成装置。
【請求項３】
前記第２のエラー情報は、
前記定着制御手段により制御される温度制御の異常を示す温度エラーと、
前記温度エラー以外の前記画像形成装置の異常を示す装置エラーと、
であることを特徴とする請求項１記載の画像形成装置。
【請求項４】
前記定着器は、更に、
前記定着器の内部温度を検出して検出結果を出力する温度センサを有し、
前記第１のエラー情報は、
前記温度センサにより出力される前記検出結果に基づく温度エラーであることを特徴とする請求項１記載の画像形成装置。
【請求項５】
前記温度エラーは、
前記温度センサの前記検出結果に基づき前記定着器の前記内部温度を算出する温度算出部と、
前記内部温度と閾値を比較して異常温度を検出する温度判定部と、
を有することを特徴とする請求項４記載の画像形成装置。
【請求項６】
前記第１の記憶部は、更に、
前記定着器の第１の固有情報を記憶し、
前記第２の記憶部は、更に、
前記画像形成装置の第２の固有情報を記憶し、
前記メモリ制御部は、
前記エラー検出手段による第２のエラー情報の検出時に、前記第１のエラー情報に前記第１の固有情報を付加した第１のエラー履歴を前記第１の記憶部に記憶すると共に、前記第２のエラー情報に前記第２の固有情報を付加した第２のエラー履歴を前記第２の記憶部に記憶し、起動時に、前記第１の記憶部から前記第１のエラー履歴を読み出すと共に前記第２の記憶部から前記第２のエラー履歴を読み出し、
前記制御モード決定部は、
前記第１及び第２のエラー履歴に基づいて前記制御モードを決定することを特徴とする請求項１〜５のいずれか１項に記載の画像形成装置。
【請求項７】
前記制御モードは、
通常動作モードと、
前記定着器の異常を確認するための診断モードと、
前記定着器における非加熱のエラーモードと、
を含むことを特徴とした請求項１〜６のいずれか１項に記載の画像形成装置。
【請求項８】
記温度センサはサーミスタであり、
前記診断モードは、前記サーミスタの故障の有無と、前記定着器に供給する駆動電力の通電オン／オフに応じた温度変化の有無と、を診断するモードであることを特徴とする請求項７記載の画像形成装置。
【請求項９】
前記エラーモードは、
前記第２のエラー情報を報知することを特徴とする請求項８記載の画像形成装置。
【請求項１０】
画像形成装置は、更に、
前記報知信号に基づいて前記第２のエラー情報をユーザーに報知する報知手段を備え、
前記メモリ制御部は、前記第２のエラー情報の内容に応じた前記報知信号を前記報知手段に与えることを特徴とする請求項１〜９のいずれか１項に記載の画像形成装置。
【発明の詳細な説明】
【技術分野】
【０００１】
本発明は、画像形成装置に係り、特に、記録媒体上に現像剤像を転写して形成した画像を熱と圧力とによって定着する定着器を備えた画像形成装置に関するものである。
【背景技術】
【０００２】
従来、例えば、特許文献１に記載された画像形成装置では、定着器にエラーが発生した場合、定着器周辺の画像形成装置本体への拡大被害を回避するために、エラー情報を不揮発性メモリに記憶して、不揮発性メモリに記憶されたエラー情報がクリアされない限り定着器への電力供給を行わない構成になっている。
【先行技術文献】
【特許文献】
【０００３】
【特許文献１】特開２０００−３４７５３２号公報
【発明の概要】
【発明が解決しようとする課題】
【０００４】
しかしながら、従来の画像形成装置では、エラー情報がクリアされない限り定着器への駆動電力の供給を行わないため、次の（ａ），（ｂ）のような課題があった。
【０００５】
（ａ）  定着器エラーの原因が画像形成装置本体にあった場合、定着器を交換してもエラーが再発してしまい、問題のない定着器まで破損してしまうおそれがある。
【０００６】
（ｂ）  定着器に原因がある場合、エラーが発生した定着器を他の画像形成装置に実装してしまうと、正常な他の画像形成装置を破損してしまうおそれがある。
【課題を解決するための手段】
【０００７】
本発明の画像形成装置は、記録媒体上に現像剤像を転写して、前記記録媒体上に画像を形成する画像形成手段と、前記画像が形成された前記記録媒体を加熱して定着する定着器と、前記定着器に関連する第１のエラー情報及び前記第１のエラー情報を含む第２のエラー情報を検出するエラー検出手段と、前記第１のエラー情報を記憶する第１の記憶部と、前記第２のエラー情報を記憶する第２の記憶部と、前記エラー検出手段による前記第１及び第２のエラー情報の検出時に、前記第１のエラー情報を前記第１の記憶部へ書き込むと共に前記第２のエラー情報を前記第２の記憶部へ書き込み、起動時に、前記第１の記憶部から前記第１のエラー情報を読み出すと共に前記第２の記憶部から前記第２のエラー情報を読み出すメモリ制御部と、読み出された前記第１及び第２のエラー情報に応じて制御モードを決定する制御モード決定部と、決定された前記制御モードにより前記定着器の動作及び前記内部温度を制御する定着制御手段と、を備えたことを特徴としている。
【発明の効果】
【０００８】
本発明の画像形成装置は、エラー発生時に、定着器と画像形成装置本体の両方の第１及び第２の記憶部に第１及び第２のエラー情報を記憶し、起動時に、定着器と画像形成装置本体の両方の第１及び第２の記憶部から読み出した第１及び第２のエラー情報を参照して制御モードを決定するようにしている。これにより、エラーが発生した定着器を他の画像形成装置本体に装着した場合や、正常な定着器をエラーが発生した画像形成装置に装着した場合に、定着器及び画像形成装置の破損を有効に防止できる。
【図面の簡単な説明】
【０００９】
【図１】図１は本発明の実施例１における画像形成装置の概略を示すブロック図である。
【図２】図２は本発明の実施例１における画像形成装置の概略を示す構成図である。
【図３】図３は図２中の定着器４０の概略の構成を示す拡大図である。
【図４】図４は図１中の温度センサ４３と温度算出部６１の構成例を示す回路図である。
【図５】図５は図４の温度算出部６１の温度検出特性の例を示す図である。
【図６】図６は図１中の温度検出手段６１の構成例を示す回路図である。
【図７】図７は図６の温度検出手段６１の論理レベルと第２のエラー情報６６ａの関係を示す図である。
【図８】図８は図１中の表示部８１の表示例を示す図である。
【図９】図９は本発明の実施例１の画像形成装置におけるエラー発生時の処理のフローチャートである。
【図１０】図１０は本発明の実施例１の画像形成装置における起動時のフローチャートである。
【図１１】図１１は本発明の実施例２における画像形成装置１Ａの概略を示すブロック図である。
【図１２】図１２は図１１中の第１のエラー履歴４６ｃの例を示す図である。
【図１３】図１３は図１１中の第２のエラー履歴６６ｃの例を示す図である。
【図１４】図１４は本発明の実施例２の画像形成装置１Ａにおけるエラー発生時の処理のフローチャートである。
【図１５】図１５は本発明の実施例２の画像形成装置１Ａにおける起動時のフローチャートである。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図２は、本発明の実施例１における画像形成装置の概略を示す構成図である。
【００１２】
画像形成装置１は、例えば、カラープリンタであり、Ｋ(ブラック)、Ｙ(イエロー)、Ｍ(マゼンダ)、Ｃ(シアン)の４色の現像ユニット２０（＝ブラック現像ユニット２０Ｋ、イエロー現像ユニット２０Ｙ、マゼンダ現像ユニット２０Ｍ、シアン現像ユニット２０Ｃ）を有している。それぞれの色の現像ユニット２０内には、各色の印刷データに応じた静電潜像を担持する像担持体としての感光体ドラム２１（＝ブラック感光体ドラム２１Ｋ、イエロー感光体ドラム２１Ｙ、マゼンダ感光体ドラム２１Ｍ、シアン感光体ドラム２１Ｃ）が設けられている。各色の感光体ドラム２１の上部には、各色の印刷データに応じて光を照射する発光ダイオード（以下「ＬＥＤ」という。）ヘッド２２（＝２２Ｋ，２２Ｙ，２２Ｍ，２２Ｃ）が配設されている。更に、各色の感光体ドラム２１の矢印の回転方向には、各色の感光体ドラム２１と当接して感光体ドラム２１の表面に形成された静電潜像に、各色の現像剤２３（＝２３Ｋ，２３Ｙ，２３Ｍ，２３Ｃ）を付着させて現像する各色の現像ローラ２４（＝２４Ｋ，２４Ｙ，２４Ｍ，２４Ｃ）が配設されている。
【００１３】
画像形成装置１の下部には、紙等の記録媒体１１を収容する媒体トレイ１０が配設されている。記録媒体１１が収容された媒体トレイ１０の搬出口には、記録媒体１１を１枚ずつ分離させる分離ローラ１２が配設されている。分離ローラ１２により１枚ずつに分離された記録媒体１１は、２つの搬送ローラ１７，１８へ搬出され、これらの搬送ローラ１７，１８により記録媒体１１は、下流側の転写ベルト３０に搬送される。記録媒体１１の搬送路には、複数の媒体検出センサ１３，１４，１５，１６が配設されている。これらの媒体検出センサ１３〜１６は、画像形成のタイミング制御や用紙ジャムの検出に使用される。
【００１４】
転写ベルト３０の内側には、各色の感光体ドラム２１に対向する位置に、各色の転写ローラ３３（＝３３Ｋ，３３Ｙ，３３Ｍ，３３Ｃ）が配設されている。各色の転写ローラ３３は、転写電圧を印加することにより感光体ドラム２１上に形成された現像剤像を記録媒体１１に転写して画像を形成するものである。転写ベルト３０の下流側には、記録媒体１１上に転写された現像剤により形成された画像を定着させる定着器４０が、画像形成装置１本体に対して、着脱可能に配設されている。定着器４０の下流側には、複数の排出ローラ５１，５２，５３，５４が設けられている。画像形成装置１の上面には、画像が定着された記録媒体を積載する積載部５５が設けられている。
【００１５】
図３は、図２中の定着器４０の概略の構成を示す拡大図である。
定着器４０は、駆動電力が供給されると、記録媒体１１上に形成された画像を加熱と加圧とにより定着するものである。定着器４０は、駆動電力が供給されると熱を発生するヒータ４１と、このヒータ４１から発生する熱を記録媒体１１に伝えて加熱する加熱ローラ４２と、定着ベルト４４と加熱ローラ４２を圧接するための加圧ローラ４５と、を有している。加熱ローラ４２の近傍には、加熱ローラ４２の温度を測定する例えば、サーミスタ等の温度センサ４３が設けられている。更に、定着器４０の上部には、定着器４０の第１の個別情報や第１のエラー情報を記憶しておく第１の記憶部としての定着器情報記憶部４６が設けられている。定着器情報記憶部４６は、例えば、ＥＥＰＲＯＭ等の不揮発性メモリで構成され、出荷時に書き込まれる定着器４０の第１の個別情報や寿命情報の他に、画像形成装置１に組み込まれ使用中に発生する第１のエラー情報を画像形成装置１のメモリ制御部６７により書き込み記憶が可能である。又、逆に、メモリ制御部６７により、定着器情報記憶部４６から第１のエラー情報等の読み取りも可能となっている。加熱ローラ４２の近傍には、加熱ローラ４２の温度を検出する温度センサがあり、温度センサ４３で検出された内部温度は画像形成装置１の制御部６０で処理され定着器４０の制御に使用される。温度センサ４３は、例えば、サーミスタ等により構成され、サーミスタの抵抗値の温度変化により定着器４０の内部温度をアナログ電圧として検出する。
【００１６】
図１は、本発明の実施例１における画像形成装置１の概略を示すブロック図である。
画像形成装置１内には、着脱可能に取り付けられた定着器４０の他に、画像形成装置１の全体を制御する制御部６０が設けられている。
【００１７】
制御部６０は、記録媒体１１の給紙、搬送、排出のための機構部品等からなるエンジン部８３を駆動する制御信号の出力や、画像形成装置１の動作状態を検出してセンサ信号を入力して、エンジン部８３等を制御するものである。
【００１８】
制御部６０は、エラー検出手段６１、第２の記憶部としての装置情報記憶部６６、メモリ制御部６７、制御モード決定部６８、定着制御部６９及び画像処理部７０を有している。エラー検出手段６１は、温度センサ４３の温度検出値を入力してこの温度検出値に対応した検出電圧Ｖｓを出力する温度算出部６２と、検出電圧Ｖｓが閾値の範囲内か否かを判定する温度判定部６３と、センサ部８２の検出結果を監視して正常か否かの結果を出力するセンサ監視部６４と、温度判定部６３及びセンサ監視部６４の出力信号を入力して定着器４０に関連する第１のエラー情報４６ａと第１のエラー情報４６ａを含む第２のエラー情報６６ａとを検出して出力するエラー検出部６５と、により構成されている。エラー検出部６５は、第１のエラー情報４６ａが検出された場合、エンジン部８３へ制御停止の指示信号を出力すると共に、検出された第１のエラー情報４６ａ及び第２のエラー情報６６ａをメモリ制御部６７へ出力するものである。ここで、センサ部８２は、画像形成装置１内部の各種状態を検出するものであり、例えば、媒体検出センサ１３〜１６等であり、この媒体検出センサ１３〜１６は、記録媒体１１の有無を検出する。又、エンジン部８３は、記録媒体１１の給紙、搬送、排出等の制御を行うものであり、図示しない機構部品等で構成されている。
【００１９】
第２の記憶部としての装置情報記憶部６６は、ＥＥＰＲＯＭ等の不揮発性メモリにより構成され、画像形成装置１のシリアルナンバー（以下「Ｓ／Ｎ」という。）、印刷枚数、消耗品残量、第２のエラー情報６６ａ等の画像形成装置１の情報を格納するものである。
【００２０】
メモリ制御部６７は、エラー検出手段６１により第２のエラー情報６６ａが検出された時に、装置情報記憶部６６に第２のエラー情報６６ａを書き込み、エラー検出手段６１により第１のエラー情報４６ａが検出された時は、定着器情報記憶部４６に第１のエラー情報４６ａを書き込み、起動時に、装置情報記憶部６６及び定着器情報記憶部４６に記憶されている第１及び第２のエラー情報４６ａ，６６ａを読み出して制御モード決定部６８へ出力すると共に、第１及び第２のエラー情報４６ａ，６６ａの内容に応じたエラー内容の報知信号を、報知手段としての表示部８１へ出力するものである。表示部８１は、エラー表示の他に、画像形成装置１の状態や消耗品の残量等を表示するものである。
【００２１】
制御モード決定部６８は、メモリ制御部６７から入力されたエラー情報４６ａ，６６ａの内容から、通常モードで制御するか、自己診断モードで制御するか、エラーモードで制御するか、を決定するものである。ここで、自己診断モードとは、温度センサ４３の故障チェック（例えば、断線チェック）及びヒータ４１の駆動電力のオン／オフチェック（即ち、通電チェック）を行い、通常モードよりも低い温度になるようにヒータ４１をオンした後、ヒータ４１をオフし、温度算出部６２より算出される温度がヒータ４１のオン/オフに追従して変化するか否かを確認するモードである。
【００２２】
ヒータ４１をオンしても温度算出部６２で算出した温度が上がらない、又はヒータ４１をオフしても温度算出部６２で算出した温度が下がらない場合は温度エラーとする。
【００２３】
定着制御部６９は、温度算出部６２により算出された定着器４０の内部温度に基づき、定着器４０の内部温度の制御を行うものである。温度センサ４３と、温度算出部６２と、定着制御部６９と、ヒータ４１と、により、定着器４０の内部温度を制御する定着器制御手段が構成されている。
【００２４】
インタフェース（以下「Ｉ／Ｆ」という。）部８４は、パーソナルコンピュータ（以下「ＰＣ」という。）と接続され、印刷データの受信を行うものである。画像処理部７０は、Ｉ／Ｆ部８４より受信された印刷データに基づき印刷用画像の作成を行うものである。
【００２５】
図４は、図１中の温度センサ４３と温度算出部６１の構成例を示す回路図である。更に、図５は、図４の温度算出部６１の温度検出特性の例を示す図である。この図５の横軸は温度（℃）であり、縦軸は検出電圧Ｖｓ（Ｖ）である。
【００２６】
図４において、温度センサとしてのサーミスタ４３が直流（以下「ＤＣ」という。）の電源電圧ＶＤＤと温度算出部６１の間に接続されている。温度算出部６１は、ＮＰＮ型トランジスタ６１ａ，６１ｂと、抵抗６１ｃとで構成され、電源電圧ＶＤＤとグランドＧＮＤを入力として、グランドＧＮＤに対して検出電圧Ｖｓを出力するものである。サーミスタ４３は、温度が上昇すると抵抗値が小さくなる素子であり、ＮＰＮ型トランジスタ６１ａ，６１ｂの種類と、抵抗６１ｃの値を選択した場合の温度検出特性が図５に示されている。
【００２７】
図１中の定着器４０の温度制御範囲が１６０℃〜２６０℃であった場合、上限検出電圧ＶＨは約９Ｖであり、下限検出電圧ＶＬは約７Ｖであることが、図５より読み取れる。
【００２８】
図６は、図１中の温度検出手段６１の構成例を示す回路図である。
温度判定部６３は、演算増幅器（以下「ＯＰアンプ」という。）６３ａの非反転入力の＋端子に図５中の上限検出電圧ＶＨが印加され、ＯＰアンプ６３ｂの反転入力の−端子に図５中の下限検出電圧ＶＬが印加され、ＯＰアンプ６３ａの−端子及びＯＰアンプ６３ｂの＋端子に検出電圧Ｖｓが入力され、ＯＰアンプ６３ａ及び６３ｂによりウィンドコンパレータが構成されている。更に、ＯＰアンプ６３ａ及び６３ｂの出力信号Ａ１ｏ及びＡ２ｏと、センサ監視部６４の出力信号Ｓｏがエラー検出部６５へ入力され、エラー検出部６５からエラー情報４６ａ，６６ａが出力する構成となっている。
【００２９】
図７は、図６の温度検出手段６１の論理レベルと第２のエラー情報６６ａの関係を示す図であり、図６中のセンサ監視部６４の出力信号Ｓｏがハイレベル（以下「“Ｈ”」という。）のとき正常であり、出力信号Ｓｏがローレベル（以下「“Ｌ”」という。）のとき、エラーであるとする。
【００３０】
検出電圧ＶｓがＶｓ＜下限電圧ＶＬの場合、出力信号Ａ１ｏの論理レベルは“Ｌ”、出力信号Ａ２ｏの論理レベルは“Ｈ”となり、エラー情報は“低温エラー”となる。この場合、出力信号Ｓｏの論理レベルが“Ｈ”であれば、エラー情報は“低温エラー”のみとなり、出力信号Ｓｏの論理レベルが“Ｌ”であれば、エラー情報は“低温エラー（媒体ジャムエラー）”となる。
【００３１】
検出電圧Ｖｓが下限電圧ＶＬ≦Ｖｓ≦上限電圧ＶＨの場合、出力信号Ａ１ｏの論理レベルは“Ｈ”、出力信号Ａ２ｏの論理レベルは“Ｈ”となり、正常となる。この場合、出力信号Ｓｏの論理レベルが“Ｈ”であれば、正常であり、出力信号Ｓｏの論理レベルが“Ｌ”であれば、エラー情報は“媒体ジャムエラー”となる。
【００３２】
検出電圧Ｖｓが上限電圧ＶＨ＜Ｖｓの場合、出力信号Ａ１ｏの論理レベルは“Ｈ”、出力信号Ａ２ｏの論理レベルは“Ｌ”となり、エラー情報は“高温エラー”となる。この場合、出力信号Ｓｏの論理レベルが“Ｈ”であれば、エラー情報は“高温エラー”のみとなり、出力信号Ｓｏの論理レベルが“Ｌ”であれば、エラー情報は“高温エラー（媒体ジャムエラー）”となる。
【００３３】
検出電圧Ｖｓが下限電圧ＶＬ≦Ｖｓ≦上限電圧ＶＨであり、出力信号Ａ１ｏの論理レベルは“Ｈ”の場合は、正常であり、定着制御部６９は、定着器４０の内部温度が目標温度、例えば、２００℃になるように、ヒータ４１をオン／オフ制御する。
【００３４】
一方、検出電圧ＶｓがＶｓ＜下限電圧ＶＬ又は上限電圧ＶＨ＜Ｖｓの場合には、定着器４０の内部温度の制御が正常に行われていないことを示すため、エラー検出部６５は、定着器関連のエラーであると判断し、メモリ制御部６７は、定着器関連の第１のエラー情報４６ａ、例えば、“低温エラー”、“高温エラー”を定着器情報記憶部４６に記憶し、表示部８１に定着器関連の第１のエラー情報４６ａの報知信号を出力すると共に制御モード決定部６８を介して定着制御部６９を制御して定着器４０の温度制御を打ち切る。
【００３５】
図８は、図１中の表示部８１の表示例を示す図である。
エラーコードに対応して、表示部８１に表示されるエラーの種類と、エラーの種類に応じた処置の内容が図８に示されている。
【００３６】
エラーコード００１では、「低温エラー：サービスマンに連絡してください。」、エラーコード００２では、「高温エラー：サービスマンに連絡してください。」、エラーコード００３では、「ジャムエラー：記録媒体を取り除いて再起動してください。」といったように、エラーコードに対応したエラーの種類とエラーの種類に応じた処置の内容が表示部８１に表示される。
【００３７】
（実施例１の動作）
（Ｉ）画像形成装置１の基本動作と、（II）エラー発生時の動作と、（III）画像形成装置起動時の動作と、に分けて説明する。
【００３８】
（Ｉ）  画像形成装置１の基本動作
図１〜図３に基づいて説明する。
パーソナルコンピュータ（以下「ＰＣ」という。）等の上位コントローラからの印刷指示を受けると、制御プログラムに基づいて制御部６０により各動作が制御され、画像形成動作を実行する。先ず、モータ等の各アクチュエータが制御され、分離ローラ１２、搬送ローラ１７，１８を駆動することにより、記録媒体１１が媒体トレイ１０から画像形成装置１内部へと搬送される。その後、図示しない高圧電源部が制御されて、所望の条件に対応した帯電及び現像のための電圧が各色の感光ドラム２１Ｋ，２１Ｙ，２１Ｍ，２１Ｃに印加され、感光体ドラム２１の表面が帯電される。
【００３９】
続いて、上位コントローラからの印刷データ信号に応じて、画像処理部６８は、各色のＬＥＤヘッド２２Ｋ，２２Ｙ,２２Ｍ,２２Ｃを発光させるためのデータを作成する。画処理部６８で作成されたデータに基づき、ＬＥＤヘッド２２Ｋ，２２Ｙ，２２Ｍ，２２Ｃから各色の感光ドラム２１Ｋ，２１Ｙ，２１Ｍ，２１Ｃの表面へ記録光が照射され、露光される。露光された各色の感光体ドラム２１Ｋ，２１Ｙ，２１Ｍ，２１Ｃの表面上には、印刷データが静電潜像として形成されていく。このとき、感光体ドラム２１Ｋ，２１Ｙ，２１Ｍ，２１Ｃ及び転写ベルト３０は、各アクチュエータにより記録媒体１１を下流方向へ搬送する方向に駆動されている。
【００４０】
各色の感光体ドラム２１（＝２１Ｋ，２１Ｙ，２１Ｍ，２１Ｃ）上に形成された各色の静電潜像に各色の現像剤カートリッジ２０（＝２０Ｋ，２０Ｙ，２０Ｍ，２０Ｃ）から各色の現像剤２３（＝２３Ｋ，２３Ｙ，２３Ｍ，２３Ｃ）が、現像電圧による静電気力により供給され、各色の感光ドラム２１（＝２１Ｋ，２１Ｙ，２１Ｍ，２１Ｃ）の表面上には現像剤像が形成される。形成された現像剤像は、所定の転写電圧を印加された各色の転写ローラ３３（＝３３Ｋ，３３Ｙ，３３Ｍ，３３Ｃ）により、静電気力で転写ベルト３０上を搬送されてくる記録媒体１１の表面に転写されていく。画像が形成された記録媒体１１は、定着器４０まで搬送され、熱と圧力により定着される。上記画像形成プロセスを経た記録媒体１１は、複数の排出ローラ５１，５２，５３，５４により画像形成装置１の外部に排出される。
【００４１】
（II）  エラー発生時の動作
図９は、本発明の実施例１の画像形成装置におけるエラー発生時の処理のフローチャートである。
【００４２】
図１〜図８を参照しつつ、図９に基づき、エラー発生時の処理の動作を説明する。
処理が開始されると、ステップＳ１へ進む。ステップＳ１において、エラー検出手段６１は、エラーが発生するまで（Ｎ）、エラーを監視し、エラーが検出されると（Ｙ）、エラー検出部６５は、エラー情報４６ａ，６６ａをメモリ制御部６７へ出力すると共に、エラー情報４６ａに基づく動作停止の信号をエンジン部８３へ出力して一連の画像形成動作を停止した後、ステップＳ２へ進む。
【００４３】
ステップＳ２において、メモリ制御部６７は、エラー検出部６５から受け取った第２のエラー情報６６ａを装置情報記憶部６６に記憶し、ステップＳ３へ進む。ステップＳ３において、メモリ制御部６７は、例えば、温度算出部６２により算出された定着器４０の内部温度が所定の閾値以上である等の定着器関連の第１のエラー情報４６ａを含むか否かを判定し、そうであれば（Ｙ）ステップＳ４へ進み、そうでなければ（Ｎ）、ステップＳ５へ進む。ステップＳ４において、メモリ制御部６７は、定着器関連の第１のエラー情報４６ａを定着器情報記憶部４６に記憶し、ステップＳ５へ進む。図４及び図５において、定着器４０の内部温度が２６０℃を超える場合には、温度算出部６２の検出電圧Ｖｓの値が上限検出電圧ＶＨ＝９Ｖを超え、定着器４０の内部温度が１６０℃未満の場合には、温度算出部６２の検出電圧Ｖｓの値が下限検出電圧ＶＬ＝７Ｖ未満になる。検出電圧Ｖｓ＜下限電圧ＶＬ及び上限電圧ＶＨ＜検出電圧Ｖｓの場合に、“低温エラー”及び“高温エラー”等の定着器関連の第１のエラー情報４６ａであると判定する。
【００４４】
ステップＳ５において、メモリ制御部６７は、第２のエラー情報６６ａの内容に応じた報知信号Ｓ６７を表示部８１に出力し、表示部８１は、図８に示されたようなメモリ制御部６７から受け取った報知信号Ｓ６７に応じたエラー内容を表示して処理を終了する。エラー情報が定着器関連の第１のエラー情報４６ａの場合（ステップＳ３のＹ）は、例えば、高温エラーの場合は、メモリ制御部６７は、図８に示されたように、‘高温エラー’等の定着器関連の第１のエラー情報４６ａの報知信号Ｓ６７を表示部８１へ出力する。表示部８１は、メモリ制御部６７から受け取った報知信号Ｓ６７に応じて、例えば、「高温エラー：サービスマンに連絡してください。」等の表示内容の表示を行い、処理を終了する。
【００４５】
第２のエラー情報６６ａが定着器関連以外のエラーの場合（ステップＳ３のＮ）、例えば、記録媒体１１のジャムエラーの場合は、メモリ制御部６７は、図８に示されたように“ジャムエラー”等の報知信号Ｓ６７を表示部８１へ出力する。表示部８１は、メモリ制御部６７から受け取った報知信号Ｓ６７に応じて、例えば、「ジャムエラー：記録媒体を取り除いて再起動してください。」等の表示内容の表示を行い、処理を終了する。
【００４６】
（III）  画像形成装置の起動時の動作
図１０は、本発明の実施例１の画像形成装置１における起動時のフローチャートである。
【００４７】
起動時の制御モードは、装置情報記憶部６６及び定着器情報記録部４６に記憶されているエラー情報４６ａ，６６ａが定着器４０に関連したエラーか否かにより、（１）通常動作モード（ステップＳ１１〜Ｓ１４）、（２）自己診断モード（ステップＳ１５〜Ｓ１７）、（３）エラーモード（ステップＳ１８〜Ｓ２０）の３種類の制御モードを含んでいる。
【００４８】
（１）  通常動作モード
画像形成装置１が起動されると、ステップＳ１１へ進む。ステップＳ１１において、制御部６０は、電源のオンが検出されるまで電源オンのオン／オフの監視を継続し、電源がオンされると（Ｙ）、ステップＳ１２へ進む。ステップＳ１２において、メモリ制御部６７は、装置情報記憶部６６に記憶された第２のエラー情報６６ａに定着器関連の第１のエラー情報４６ａがあるか否かを判断し、定着器関連の第１のエラー情報４６ａがなければ（Ｎ）、ステップＳ１３へ進み、あれば（Ｙ）、ステップＳ１５へ進む。ステップＳ１３おいて、メモリ制御部６７は、定着器情報記憶部４６に定着器関連の第１のエラー情報４６ａが記憶されているか否かを判断し、定着器関連の第１のエラー情報４６ａがなければ（Ｎ）、ステップＳ１４へ進み、あれば（Ｙ）、ステップＳ１５へ進む。ステップＳ１４において、制御部６０は、通常起動を行い、起動時の処理を終了する。
【００４９】
ここで、定着器関連の第１のエラー情報４６ａとは、例えば、温度センサ４３による閾値（例えば、２６０℃）以上の温度検出、ヒータ４１を所定時間オンしても温度センサ４３の検出温度の変化が閾値（例えば、１６０℃）以下、温度センサ４３のオープン／ショート検出、ヒータ４１のオープン検出等のように、何らかの原因で定着器４０の温度制御が正常に行われない可能性がある、あるいは定着器４０の温度制御が正常に行われなかったエラーを指す。
【００５０】
更に、何らかの原因により定着器４０の温度が所定以上に上昇してホットオフセットを誘発し記録媒体１１が定着器４０に巻き付き記録媒体ジャムになった場合には定着器関連エラーと分類しても良い。この場合、具体的なエラーとしては記録媒体１１の搬送を検知する定着器４０の入り口と出口に設けられた媒体検出センサ１５，１６が搬送異常を検出した場合のジャムが相当する。
【００５１】
（２）  自己診断モード
ステップＳ１２又はステップＳ１３で定着器４０に関連する第１のエラー情報４６ａがある場合には、ステップＳ１５へ進み、自己診断モードで起動する。ステップＳ１５において、制御モード決定部６８は、自己診断モードで起動すると判定し、定着制御部６９の制御モードを自己診断モードに切り替え、ステップＳ１６へ進む。ステップＳ１６において、自己診断モードで、メモリ制御部６７は、エラー検出手段６１によりエラーが検出されたか否かを判定し、エラーが検出されなければ（Ｎ）、ステップＳ１７へ進み、エラーが検出されれば（Ｙ）、ステップＳ１８へ進む。ステップＳ１７において、メモリ制御部６７により定着器情報記憶部４６及び装置情報記憶部６６の第１及び第２のエラー情報４６ａ，６６ａをクリアし、自己診断モードの処理が終了する。
【００５２】
（３）  エラーモード
ステップＳ１６でエラーありのとき（Ｙ）、ステップＳ１８において、制御モード決定部６８は、エラーモードで起動すると判定し、定着制御部６９の制御モードをエラーモードに切り替え、定着器４０内のヒータ４１への電源供給を停止し、ステップＳ１９へ進む。ステップＳ１９において、メモリ制御部６７は、定着器情報記憶部４６及び装置情報記憶部６６に第１及び第２のエラー情報４６ａ，６６ａを記憶し、ステップＳ２０へ進む。ステップＳ２０において、メモリ制御部６７は、第２のエラー情報６６ａの内容に応じた報知信号Ｓ６７を表示部８１へ出力する。表示部８１は、メモリ制御部６７から受け取った報知信号Ｓ６７に応じて、例えば、「高温エラー：サービスマンに連絡してください。」等の内容を表示し、処理を終了する。
【００５３】
（実施例１の変形例）
図９のフローチャートには記載していないが、記録媒体ジャムの場合には自己診断モードでは診断ができないので、第１及び第２のエラー情報４６ａ，６６ａはクリアせずに履歴を残し、所定回数同じエラーが再発した場合に保守員による修理を指示するメッセージを表示部８１に表示するようにしても良い。
【００５４】
又、本実施例１では、制御モードを通常モード、自己診断モード及びエラーモードの３つのモードそして説明したが、ヒータ４１をオンせず、表示部８１にエラー情報の表示のみを行うエラーモード等、より多くの制御モードに切り替え可能としても良い。更に、エラー内容により制御モードを切り替えるようにしても良い。
【００５５】
（実施例１の効果）
本発明の実施例１の画像形成装置１によれば、定着器４０及び画像形成装置１本体の両方に情報記憶部４６，６６を設け、エラー検出時にエラー情報を情報記憶部４６，６６に記憶すると共に、起動時に、情報記憶部４６，６６に記憶されたエラー情報を読み出すと共に、エラー情報を参照して、起動時の処理を変えるようにしている。これにより、不良の定着器４０を正常な画像形成装置１に装着した場合や、不良の画像形成装置１に正常な定着器４０を挿入した場合にも、画像形成装置１及び定着器４０の破損を有効に防止できる。
【実施例２】
【００５６】
（実施例２の構成）
本発明の実施例２における画像形成装置１Ａの構成の断面図及び定着器４０Ａの概略の構成は、実施例１を示す図２及び図３と同様である。
【００５７】
図１１は、本発明の実施例２における画像形成装置１Ａの概略を示すブロック図であり、実施例１を示す図１と共通の要素には共通の符号が付されている。
【００５８】
図１１において、定着器４０Ａは、実施例１と同様のヒータ４１及び温度センサ４３と、実施例１とは異なる定着器情報記憶部４６Ａとを有している。定着器情報記憶部４６Ａは、実施例１と同様の第１のエラー情報４６ａに、新たに第１の個別情報４６ｂを付加した第１のエラー履歴４６ｃを記憶するものである。
【００５９】
制御部６０Ａは、実施例１と同様の温度検出手段６１、定着制御部６９及び画像処理部７０と、実施例１とは異なる装置情報記憶部６６Ａ、メモリ制御部６７Ａ及び制御モード決定部６８Ａを有している。
【００６０】
装置情報記憶部６６Ａは、実施例１と同様の第２のエラー情報６６ａ及び新たに追加された第２の個別情報６６ｂを付加した第２のエラー履歴６６ｃを記憶するものである。
【００６１】
メモリ制御部６７Ａは、エラー検出部６５により第２のエラー情報６６ａが検出された場合、第２のエラー情報６６ａに第２の固有情報６６ｂを付加した第２のエラー履歴６６ｃを装置情報記憶部６６Ａに記憶すると共に、第２のエラー情報６６ａの中に定着器関連の第１のエラー情報４６ａが含まれる場合に第１のエラー情報４６ａに第１の固有情報４６ｂを付加した第１のエラー履歴４６ｃを定着器情報記憶部４６Ａに記憶し、起動時に定着器情報記憶部４６Ａ及び装置情報記憶部６６Ａから第１のエラー履歴４６ｃ及び第２のエラー履歴６６ｃを読み出すものである。更に、制御モード決定部６８Ａは、第１及び第２のエラー履歴４６ｃ，６６ｃの内容に応じて、制御モードを決定するものである。実施例２のその他の構成は、実施例１の構成と同様である。
【００６２】
図１２は、図１１中の第１のエラー履歴４６ｃの例を示す図であり、図１３は、図１１中の第２のエラー履歴６６ｃの例を示す図である。
【００６３】
図１２及び図１３において、第１及び第２のエラー履歴４６ｃ，６６ｃには、時間の経過順に上から下へエラー情報及び画像形成装置１Ａ又は定着器４０Ａのシリアルナンバー（以下「Ｓ／Ｎ」という。）が記憶されている。
【００６４】
画像形成装置１ＡのＳ／Ｎは、１２３であり、時刻１０時：００分に内部温度が下限温度以下の低温エラーが発生し、１０時３５分に内部温度が上限温度以上の高温エラーが発生し、１７時３２分に内部温度が下限温度以下の低温エラーが発生したエラー履歴４６ｃが図１２に示されている。
【００６５】
図１３に示されたエラー履歴６６ｃでは、時刻１０時００分に、Ｓ／Ｎ１２３４５６の定着器４０Ａが装着された画像形成装置１Ａにおいて、内部温度が下限温度以下の“低温エラー”が発生し、１０時３５分には、Ｓ／Ｎ１２３４５７の定着器４０Ａが装着された画像形成装置１Ａにおいて、内部温度が上限温度以上の“高温エラー”が発生している。１２時５０分に、Ｓ／Ｎ１２３４５７の定着器４０Ａが装着された画像形成装置１Ａにおいて、媒体センサ１３，１４の用紙ジャム検出の“ジャムエラー”が発生し、１５時１３分に、Ｓ／Ｎ１２３４５５の定着器４０Ａが装着された画像形成装置１Ａにおいて、媒体センサ１５，１６のジャムエラーが発生している。更に、１７時３２分に、Ｓ／Ｎ１２３４５６の定着器４０Ａが装着された画像形成装置１Ａにおいて、内部温度が下限温度以下の“低温エラー”が発生した履歴６６ｃが図１３に示されている。
【００６６】
（実施例２の動作）
本発明の実施例２の印刷実行までの動作は、実施例１と同様であるため、説明は省略し、（Ｉ）エラー発生時の動作と、（II）画像形成装置１Ａの起動時の動作と、に分けて説明する。
【００６７】
（Ｉ）  エラー発生時の動作
図１４は本発明の実施例２の画像形成装置１Ａにおけるエラー発生時の処理のフローチャートである。
【００６８】
処理が開始されると、ステップＳ３１へ進む。ステップＳ３１において、エラー検出部６５は、エラーが発生するまで（Ｎ）、エラーを監視し、エラーが検出されると（Ｙ）、エラー検出部６５は、エラー情報４６ａ，６６ａをメモリ制御部６７Ａへ出力すると共に、エンジン部８３へ動作停止の信号を出力して一連の画像形成動作を停止した後、ステップＳ３２へ進む。
【００６９】
ステップＳ３２において、メモリ制御部６７Ａは、検出されたエラーが定着器関連のエラーか否かを判断し、そうであれば（Ｙ）、ステップＳ３３へ進み、そうでなければ（Ｎ）、ステップＳ３５へ進む。ステップＳ３３において、検出されたエラー情報４６ａ，６６ａが温度算出部６２により算出された定着器４０Ａの内部温度が所定の範囲外であるような定着器関連の第１のエラー情報４６ａを含む場合、メモリ制御部６７Ａは、第２のエラー情報６６ａに第２の個別情報６６ｂとして定着器４０Ａのシリアルナンバーを付加した第２のエラー履歴６６ｃを装置情報記憶部６６Ａに記憶し、ステップＳ３４へ進む。ステップＳ３４において、メモリ制御部６７Ａは第１のエラー情報４６ａに第１の個別情報４６ｂとして画像形成装置１Ａのシリアルナンバーを付加した第１のエラー履歴４６ｃを定着器情報記憶部４６Ａに記憶し、ステップＳ３６へ進む。
【００７０】
ステップＳ３５において、図２中の媒体検出センサ１３で検出された用紙ジャムのように定着器４０に関係しないエラーの場合、メモリ制御部６７Ａは、第２のエラー情報６６ａを装置情報記憶部６６Ａに記憶し、ステップＳ３６へ進む。
【００７１】
ステップＳ３６において、メモリ制御部６７Ａは、第２のエラー情報６６ａの内容に応じた内容の報知信号Ｓ６７を表示部８１に出力し、表示部８１は、メモリ制御部６７Ａから受け取った報知信号Ｓ６７に応じた表示内容を表示し、エラー発生時の処理を終了する。
【００７２】
（II）  画像形成装置１Ａの起動時の動作
図１５は、本発明の実施例２の画像形成装置１Ａにおける起動時のフローチャートであり、実施例１を示す図１０と共通の要素には共通の符号が付されている。
【００７３】
本実施例２の起動時の制御モードは、実施例１と同様の通常動作モード（１）ステップＳ１１〜Ｓ１４）、（２）自己診断モード（ステップＳ１５〜Ｓ１７）、（３）エラーモード（ステップＳ１８〜Ｓ２０）の３種類の制御モードに、ステップＳ４１〜Ｓ４４の処理が追加されている。
【００７４】
画像形成装置１Ａが起動されると、ステップＳ１１へ進む。ステップＳ１１において、制御部６０Ａは、電源のオンが検出されるまで電源オンのオン／オフの監視を継続し、電源がオンされると（Ｙ）、ステップＳ１２へ進む。ステップＳ１２において、メモリ制御部６５Ａは、装置情報記憶部６６Ａに記憶された第２のエラー情報６６ａに定着器関連の第１のエラー情報４６ａがあるか否かを判断し、定着器関連の第１のエラー情報４６ａがなければ（Ｎ）、ステップＳ１３へ進み、あれば（Ｙ）、ステップＳ４１へ進む。ステップＳ１３おいて、メモリ制御部６７Ａは、定着器情報記憶部４６Ａに定着器関連の第１のエラー情報４６ａがあるか否かを判断し、定着器関連の第１のエラー情報４６ａがなければ（Ｎ）、ステップＳ１４へ進み、あれば（Ｙ）、ステップＳ４３へ進む。ステップＳ１４において、制御部６０は、通常起動を行い、起動時の処理を終了する。
【００７５】
ステップＳ１２において、メモリ制御部６７Ａは、装置情報記憶部６６Ａの内容を読み出し、定着器関連の第１のエラー情報４６ａが含まれていれば（Ｙ）、ステップＳ４１へ進み、なければ（Ｎ）、ステップＳ１３へ進む。ステップＳ１３において、メモリ制御部６７Ａは、定着器情報記憶部４６Ａの内容を読み出し、定着器関連の第１のエラー情報４６ａがあれば（Ｙ）、ステップＳ４３へ進み、なければ（Ｎ）、ステップＳ１４へ進む。
【００７６】
ステップＳ４１において、装置情報記憶部６６Ａに定着器関連の第１のエラー情報４６ａが含まれており、第２のエラー履歴６６ｃにシリアルナンバーの異なる複数の定着器４０で同一のエラーが発生していた場合（Ｙ）、制御モード決定部６７Ａは、ヒータ４１に電源供給しないエラーモードで起動すると判定し、定着制御部６８の制御モードをエラーモードに切り替え、ステップＳ４４へ進み、エラー履歴にシリアルナンバーの異なる複数の定着器４０で同一のエラーが発生していなかった場合（Ｎ）、ステップＳ４２へ進む。
【００７７】
ステップＳ４２において、メモリ制御部６７Ａは、定着器情報記憶部４６Ａに定着器関連の第１のエラー情報４６ａが記憶されているか否か判断し、記憶されていれば（Ｙ）、ステップＳ４３へ進み、いなければ（Ｎ）、ステップＳ１５へ進む。ステップＳ４３において、メモリ制御部６７Ａは、複数の画像形成装置１Ａで同一のエラーが発生しているか否かが判断され、そうであれば（Ｙ）、ステップＳ４４へ進み、そうでなければ、ステップＳ１５へ進む。ステップＳ１５へ進んだ場合は、実施例１と同様に、ステップＳ１５〜Ｓ１７の自己診断モード及びステップＳ１８〜Ｓ２０のエラーモードの処理が行われる。
【００７８】
ステップＳ４４において、制御モード決定部６８Ａは、ヒータ４１に電源供給しないエラーモードで起動すると決定し、定着制御部６９の制御モードをエラーモードに切り替え、メモリ制御部６７Ａは、表示器関連のエラー情報を表示する表示信号を出力し、表示部８１は定着器４０に異常がある旨を表示する。ステップＳ４４のエラー表示は、保守員による修理が完了し、保守員が一般ユーザーには公開されない特殊な操作で修理履歴を装置情報記憶部６６Ａ、定着器情報記憶部４６Ａに書き込むことにより解除可能である。
【００７９】
ステップＳ１５において、ステップＳ４１，Ｓ４３にて、同一エラーの発生がない場合には制御モード決定部６８Ａは、自己診断モードで起動すると判定し、定着制御部６９の動作モードを自己診断モードに切り替える。自己診断モードでエラーが検出された場合（Ｙ）は、ステップＳ１８へ進み、自己診断モードでエラーが検出されなかった場合は（Ｎ）は、ステップＳ４５へ進む。ステップＳ４５において、メモリ制御部６７Ａは、自己診断でエラーなしの情報を、定着器情報記憶部４６Ａ及び装置情報記憶部６６Ａに記憶し、処理を終了する。
【００８０】
自己診断モードでエラー検出された場合は（Ｙ）、ステップＳ１８へ進む。ステップＳ１８において、定着制御部６９はヒータ４１への電源供給を停止し、ステップＳ１９へ進む。ステップＳ１９において、メモリ制御部６７Ａは、定着器情報記憶部４６Ａに第１のエラー情報４６ａに画像形成装置１ＡのＳ／Ｎを付加した第１のエラー履歴４６ｃを記憶すると共に、装置情報記憶部６６Ａに第２のエラー情報６６ａに定着器４０のＳ／Ｎを付加した第２のエラー履歴６６ｃを記憶し、ステップＳ２０へ進む。ステップＳ２０において、表示部８１に、図８に示された、例えば、「高温エラー：サービスマンに連絡してください。」等の表示内容を表示し、エラーモードの処理を終了する。
【００８１】
（実施例２の効果）
本実施例２では、実施例１に加え、エラー発生時に、第１及び第２のエラー情報４６ａ，６６ａに、画像形成装置１Ａ及び定着器４０Ａの各Ｓ／Ｎを付加した第１及び第２のエラー履歴４６ｃ，６６ｃを記憶し、起動時に、第１及び第２のエラー履歴４６ｃ，６６ｃを参照して画像形成装置１Ａの制御モードを切り替えるようにしているので、故障が定着器４６Ａ側か画像形成装置１Ａ側かの特定が容易になる。これにより、故障の定着器４０Ａを正常な画像形成装置１Ａに装着した場合や故障の画像形成装置１Ａに正常な定着器４０Ａを装着した場合であっても、定着器４０Ａ及び画像形成装置１Ａの本体の破損の可能性を低減することが可能である。
【００８２】
（実施例１，２の他の変形例）
本発明は、上記実施例１、２に限定されず、種々の利用形態や変形例が可能である。この利用形態や変形例として、例えば、次の（１）〜（５）のようなものがある。
【００８３】
（１）  実施例１及び２では、画像形成装置１，１Ａは、カラープリンタとして説明したが、画像形成装置１，１Ａはカラープリンタに限定されない。画像形成装置１，１Ａ本体に脱着可能な定着器４０，４０Ａを備えたものであれば、モノクロプリンタや複合機にも適用可能である。
【００８４】
（２）  実施例１及び２では、温度センサとしてのサーミスタ４３の温度に対する抵抗値変化をトランジスタ６１ａ，６１ｂと抵抗６１ｃからなる温度算出部６２により、温度電圧変換する回路を構成例として示したが、温度センサ４３及び温度算出部６２は、実施例１及び２で説明した回路に限定されない。定着器４０，４０Ａの温度制御範囲をカバーできる温度電圧変換機能を有する回路であればどうような回路でも良い。
【００８５】
（３）  実施例１及び２では、温度判定部６３として、ＯＰアンプ６３ａ及び６３ｂからなるウィンドコンパレータを例示したが、温度判定部６３はウィンドコンパレータに限定されない。温度制御範囲内と温度制御範囲外を判定できる回路であれば良い。
【００８６】
（４）  実施例１及び２の画像形成装置１，１Ａの起動時の動作における自己診断モードにおいて、エラーが検出されない場合には、エラー情報をクリアして、自己診断モードを終了すると説明したが、自己診断モードにおいて、エラーが検出されない場合、第１及び第２エラー情報４６ａ，６６ａをクリアした後、通常起動へ移行するようにしても良い。
【００８７】
（５）  実施例１及び２では、報知手段としての表示部８１について説明したが、報知手段は表示部に限定されない。例えば、エラー内容を音声ガイダンスにより出力する方法やブザーを鳴音させる方法等であっても良い。
【符号の説明】
【００８８】
１，１Ａ        画像形成装置
１１        記録媒体
２０Ｋ，２０Ｙ，２０Ｍ，２０Ｃ        現像剤カートリッジ
２１Ｋ，２１Ｙ，２１Ｍ，２１Ｃ        感光体ドラム
２２Ｋ，２２Ｙ，２２Ｍ，２２Ｃ        ＬＥＤヘッド
２３Ｋ，２３Ｙ，２３Ｍ，２３Ｃ        現像剤
２４Ｋ，２４Ｙ，２４Ｍ，２４Ｃ        現像ローラ
３３Ｋ，３３Ｙ，３３Ｍ，３３Ｃ        転写ローラ
４０，４０Ａ        定着器
４１        ヒータ
４２        加熱ローラ
４３        温度センサ
４６，４６Ａ        定着器情報記憶部
４６ａ，６２ａ        エラー情報
４６ｂ，６２ｂ        個別情報
４６ｃ，６６ｃ        エラー履歴
６０，６０Ａ        制御部
６１        エラー検出手段
６２        温度算出部
６３        温度判定部
６４        センサ監視部
６５        エラー検出部
６６，６６Ａ        装置情報記憶部
６７，６７Ａ        メモリ制御部
６８，６８Ａ        制御モード決定部
６９        定着制御部
７０        画像処理部
８１        表示部
８２        センサ部
８３        エンジン部
８４        Ｉ／Ｆ部
【図１】
2014006375.tif 000003
【図２】
2014006375.tif 000004
【図３】
2014006375.tif 000005
【図４】
2014006375.tif 000006
【図５】
2014006375.tif 000007
【図６】
2014006375.tif 000008
【図７】
2014006375.tif 000009
【図８】
2014006375.tif 000010
【図９】
2014006375.tif 000011
【図１０】
2014006375.tif 000012
【図１１】
2014006375.tif 000013
【図１２】
2014006375.tif 000014
【図１３】
2014006375.tif 000015
【図１４】
2014006375.tif 000016
【図１５】
2014006375.tif 000017